(57)【要約】【課題】投射面に拡大映像を投射するプロジェクタにおいて、投射面までの投射距離が短くても投射面に大きく投影できるようにすると共に、前後方向の据付寸法が短く据付性が良好なものとする。【解決手段】プロジェクタ３は上下左右方向に幅広で前後方向に薄く形成されたプロジェクタ本体１を備える。また、プロジェクタ３は、プロジェクタ本体１の広い面積を有する前面１ａの中央部に設けられた大径の投射レンズ１１と、投射レンズ１１の後方に配置されると共に投射レンズ１１に映像を含む出射光を出す液晶パネル３３と、液晶パネル３３へ入射するための光を発するランプ３４とを備える。【選択図】  図１
2004286815.tif 000002
【特許請求の範囲】
【請求項１】
上下左右方向に幅広で前後方向に薄く形成されたプロジェクタ本体と、
前記プロジェクタ本体の広い面積を有する前面の中央部に設けられた大径の投射レンズと、
前記投射レンズの後方に配置されると共に前記投射レンズに映像を含む出射光を出す液晶パネルと、
前記液晶パネルへ入射するための光を発するランプとを備えた
ことを特徴とするプロジェクタ。
【請求項２】
前記プロジェクタ本体の前面を中央前方に突出するように形成し、前記投射レンズを前記プロジェクタ本体の前面突出部の頂上部分に設けたことを特徴とする請求項１に記載のプロジェクタ。
【請求項３】
上下左右方向に幅広で前後方向に薄く形成されたプロジェクタ本体と、
前記プロジェクタ本体の広い面積を有する前面の中央部に設けられた投射レンズと、
前記投射レンズの後方に前記投射レンズの中心線より下方にずらして配置されると共に前記投射レンズに映像を含む出射光を出す液晶パネルと、
前記液晶パネルへ入射するための光を発するランプと、
前記液晶パネルに供給する映像をキーストン補正する手段とを備えた
ことを特徴とするプロジェクタ。
【請求項４】
液晶パネルの上端部を前記投射レンズの中心線より下方に位置させたことを特徴とする請求項３に記載のプロジェクタ。
【請求項５】
上下左右方向に幅広で前後方向に薄く形成されたプロジェクタ本体と、
前記プロジェクタ本体の広い面積を有する前面の中央部に設けられた投射レンズと、
前記投射レンズの後方に配置されると共に前記投射レンズに映像を含む出射光を出す液晶パネルと、
前記液晶パネルへ入射するための光を発するランプと、
前記プロジェクタ本体の広い面積を有する背面に薄型の映像機器の広い面を露出して装着可能な装着部とを備え、
前記装着部は前記映像機器との接続端子部を有する
ことを特徴とするプロジェクタ。
【請求項６】
前記装着部の両側に大型のスピーカを設け、前記装着部に装着した映像機器の音声出力を前記スピーカで行うことを特徴とする請求項５に記載のプロジェクタ。
【請求項７】
上下左右方向に幅広で前後方向に薄く形成されたプロジェクタ本体と、
前記プロジェクタ本体の広い面積を有する前面の中央部に設けられた投射レンズと、
前記投射レンズの後方に配置されると共に前記投射レンズに映像を含む出射光を出す液晶パネルと、
前記液晶パネルへ入射するための光を発するランプと、
前記プロジェクタ本体の広い面積を有する背面の左右両側に後方へ音声出力するように設けられた大型のスピーカ部とを備えた
ことを特徴とするプロジェクタ。
【請求項８】
機器を収納した中央本体部と、スピーカを収納した左右のスピーカ部とを分離して前記プロジェクタ本体を構成したことを特徴とする請求項７に記載のプロジェクタ。
【発明の詳細な説明】
【０００１】
【発明の属する技術分野】
本発明は、投射面に拡大映像を投射表示するためのプロジェクタに係わり、特に狭い会議室や一般家庭の部屋などの投射面にプロジェクタを接近した状態で拡大映像を投射表示して用いるプロジェクタに好適なものである。
【０００２】
【従来の技術】
各種の会議や講演会などでは、資料を提示して説明を行なうために、プロジェクタを用い、資料の映像をスクリーンに拡大投射して参加者全員が見易いように表示することが行なわれている。
【０００３】
そして、かかるプロジェクタには、情報メディアとして、ビデオなどの映像記録再生装置ばかりでなく、パーソナルコンピュータ（パソコン）なども接続でき、このような情報メディアから情報を読み取ってスクリーン上に拡大映像として投射できるようになっている。また、ＰＣカードも情報メディアとして使用でき、これをプロジェクタ本体に装着することにより、このＰＣカードの情報を読み取ってスクリーン上に拡大投射できるようになっている。
【０００４】
かかるプロジェクタの従来例としては、例えば、特開２００１−１７４９１５号公報（特許文献１）に開示されたものがある。この従来のプロジェクタは、薄形で前後に長い略直方体のプロジェクタ本体内に映像を投射するために必要な構成要素が配置されている。そして、広い面積を有する上面に回転操作部、表示画面、各種ボタン、覗き窓などが設けられると共に、狭い面積の前面にスクリーンに映像を投射する投射レンズが設けられている。また、このプロジェクタ本体には、パソコンやビデオなどのメディアを接続可能であり、狭い面積の背面には、メディアとしてのＰＣカードのスリット状挿入口が設けられている。
【０００５】
【特許文献１】
特開２００１−１７４９１５号公報
【０００６】
【発明が解決しようとする課題】
従来のプロジェクタでは、狭い面積の前面にスクリーンに映像を投射する投射レンズが設けられているため、投射レンズの外径が狭い前面の寸法により制約されて小さいものとなっていた。このため、従来のプロジェクタでは、各種の会議や講演会などで、資料の映像をスクリーンに拡大投射して多数の参加者全員が見易いように表示するには、投射面からかなり離れた場所、例えば、参加者よりも後方にプロジェクタを設置して映像を投射するようにしなければならなかった。換言すれば、従来のプロジェクタを狭い会議室や狭い一般家庭の部屋などで使用する場合には、映し出される映像が小さくなってしまい、プロジェクタとして十分に機能しないという課題があることが判明した。また、従来のプロジェクタでは、投射面に対して前後に長いプロジェクタ本体となっているため、テーブルなどに載置した場合にその端部から中央側に長い据付スペースを必要とし、据付性に課題があった。
【０００７】
さらには、従来のプロジェクタでは、プロジェクタから投射面までの距離が長いことを前提にした小さな補正量のキーストン補正機能が備えられているものの、プロジェクタから投射面までの距離が極めて短いことを配慮したキーストン補正となっていなかった。このため、例えば投射面までの距離が１ｍ以下のような極端に短い距離で設置して使用した場合に、投射された映像が大きく歪んでしまうと共に、投射された拡大映像を後方から見る際にプロジェクタが邪魔になってしまうという問題があった。
【０００８】
さらには、従来のプロジェクタでは、パソコンやビデオなどのメディアを接続可能としているものの、ＤＶＤ装置やＣＤ装置やワイヤレスユニットなどの薄型の映像機器をプロジェクタ本体に装着して使用することについては開示されていない。
【０００９】
さらには、従来のプロジェクタでは、図示しないスピーカを備えることが記載されているが、単なる付属的なものが用いられるのが一般的であり、通常のオーディオ機器のように音声も重視した構成とはなっていない。このため、映像と音声の両方で良好なプレゼンテーションをしたり楽しんだりすることができなかった。
【００１０】
本発明の目的は、投射面までの投射距離が短くても投射面に大きく投影できると共に、前後方向の据付寸法が短く据付性が良好なプロジェクタを提供することにある。
【００１１】
本発明の別の目的は、投射面までの投射距離が短くてもキーストンを生ずることなく投影できると共に、前後方向の据付寸法が短く据付性が良好なプロジェクタを提供することにある。
【００１２】
本発明の別の目的は、前後方向の据付寸法が短く据付性が良好であると共に、接続される映像機器の使い勝手に優れたプロジェクタを提供することにある。
【００１３】
本発明の別の目的は、前後方向の据付寸法が短く据付性が良好であると共に、映像と音声の両方で良好なプレゼンテーションをしたり楽しんだりすることができるプロジェクタを提供することにある。
【００１４】
【課題を解決するための手段】
前記一番目の目的を達成するために、本発明は、上下左右方向に幅広で前後方向に薄く形成されたプロジェクタ本体と、前記プロジェクタ本体の広い面積を有する前面の中央部に設けられた大径の投射レンズと、前記投射レンズの後方に配置されると共に前記投射レンズに映像を含む出射光を出す液晶パネルと、前記液晶パネルへ入射するための光を発するランプとを備えた構成としたものである。
【００１５】
前記二番目の目的を達成するために、本発明は、上下左右方向に幅広で前後方向に薄く形成されたプロジェクタ本体と、前記プロジェクタ本体の広い面積を有する前面の中央部に設けられた投射レンズと、前記投射レンズの後方に前記投射レンズの中心線より下方にずらして配置されると共に前記投射レンズに映像を含む出射光を出す液晶パネルと、前記液晶パネルへ入射するための光を発するランプと、前記液晶パネルに供給する映像をキーストン補正する手段とを備えた構成としたものである。
【００１６】
前記三番目の目的を達成するために、本発明は、上下左右方向に幅広で前後方向に薄く形成されたプロジェクタ本体と、前記プロジェクタ本体の広い面積を有する前面の中央部に設けられた投射レンズと、前記投射レンズの後方に配置されると共に前記投射レンズに映像を含む出射光を出す液晶パネルと、前記液晶パネルへ入射するための光を発するランプと、前記プロジェクタ本体の広い面積を有する背面に薄型の映像機器の広い面を露出して装着可能な装着部とを備え、前記装着部は前記映像機器との接続端子部を有する構成としたものである。
【００１７】
前記四番目の目的を達成するために、本発明は、上下左右方向に幅広で前後方向に薄く形成されたプロジェクタ本体と、前記プロジェクタ本体の広い面積を有する前面の中央部に設けられた投射レンズと、前記投射レンズの後方に配置されると共に前記投射レンズに映像を含む出射光を出す液晶パネルと、前記液晶パネルへ入射するための光を発するランプと、前記プロジェクタ本体の広い面積を有する背面の左右両側に後方へ音声出力するように設けられた大型のスピーカ部とを備えた構成としたものである。
【００１８】
【発明の実施の形態】
以下、本発明の実施形態のいくつかを、図面を参照しながら説明する。
【００１９】
まず、本発明の第１実施形態について、図１〜図８を参照しながら説明する。図１は同プロジェクタの内部構成要素を透視して示す正面斜視図、図２は同プロジェクタの内部構成要素を透視して示す背面斜視図、図３は同プロジェクタの構成図、図４は同プロジェクタの使用状態の一例を示す図、図５は同プロジェクタの映像拡大部の模式図、図６は同プロジェクタの映像拡大部の異なる模式図、図７は同プロジェクタの使用状態の寸法関係を説明する図である。
【００２０】
図１及び図２において、プロジェクタ３は、プロジェクタ本体１、表示部４、投射レンズ１１、メイン基板１９、電源２１、端子部２６、光学系３０内に配置された液晶パネル３３及びプリズム（図示せず）、光源ユニット３７内に配置されたランプ３４、ランプ駆動基板３６、スピーカ部３８、映像機器３９などを備えて構成されている。
【００２１】
プロジェクタ本体１は、その全体形状が上下左右方向に幅広で前後方向に薄形に形成されている。従って、プロジェクタ本体１は、広い面積を有する２つの広い面１ａ、１ｂと、狭い面積を有する４つの狭い面（上面１ｃ、底面１ｄ、右側面１ｅ、左側面１ｆ）とを備えている。そして、これらの各面により、プロジェクタ本体１の外面を構成している。なお、本実施形態では、２つの広い面１ａ、１ｂの一方の面、例えば、投射レンズ１１が設けられている広い面１ａを有する側を前面側（正面側）、他方の広い面１ｂを背面側として説明する。なお、プロジェクタ３は携帯可能であるので、配置の状況によって前後が変化する。図示を省略してあるが、前面１ａの下部と上部には、内部構成部品の温度上昇を防ぐための通気口が形成されている。
【００２２】
図３において、操作部２は、電源スイッチ、メニュースイッチ、上下カーソルスイッチ、キーストンスイッチ、操作スイッチなどで構成され、プロジェクタ本体１の上面に集中して設けられている。これによって、上方から操作部２を容易に操作することができる。操作部２はメイン基板１９に接続されており、操作部２で設定された情報はメイン基板１９に入力される。
【００２３】
メイン基板１９は、ＣＰＵ１９ａ及びメモリ１９ｂを有しており、操作部２、映像機器３９及び外部機器４０などから信号や映像が入力されると共に、表示部４、スピーカ部３８、ランプ３４及び液晶パネル３３などの動作を制御する。
【００２４】
図１に戻り、プロジェクタ本体１の広い面積を有する背面１ｂには、薄型の映像機器３９の広い面（換言すれば、映像機器３９の操作面（リモコン受信部を含む）や媒体の取り出し面）を露出して装着できるように形成された装着部１ｇ（図４）が設けられている。
【００２５】
次に、図４を参照して、本実施形態に係るプロジェクタの使用状態を説明する。図４は、映像機器３９の一例としてＤＶＤ装置を装着した状態を示している。図４において、プロジェクタ３の利用者は、操作部２を操作してプロジェクタ３を起動させた後、ＤＶＤ装置３９に設けられた操作部を直接操作、あるいは別体の図示しないリモコン等により遠隔操作することで、ＤＶＤ装置３９を起動させる。ＤＶＤ装置３９から出力される映像は、投射レンズ１１を介してプロジェクタ３の前面１ａから投射面３１に投射され、表示部４に動作状態が表示されるようになっている。
【００２６】
これによって、プロジェクタより後方にいる利用者が、投射された拡大映像をプロジェクタに邪魔されることなく見ることができる。また、利用者側に位置する広い面（背面１ｂ）に映像機器３９が設けられているので、映像機器３９の媒体の出し入れを容易に行うことができる。
【００２７】
図４に戻り、ＤＶＤ装置を装着した例を示す。装着部１ｇは、背面１ｂの中央に（スピーカ部３８の間に）位置して設けられ、凹部で形成されている。映像機器３９の背面とプロジェクタ本体１の背面１ｂとが略同一平面となるように凹部の深さが決められている。
【００２８】
この装着部１ｇには、複数の接続端子を有する端子部２６（図３参照）が設けられている。この端子部２６は、映像機器３９が装着されると、映像機器３９の種類に応じて所定の端子と電気的に切替えて接続する切替手段２６ａ（図３参照）が備えられている。また、切替手段２６ａには、映像機器３９を取外した状態で、パソコン４０などの外部機器が接続具を介して接続できるように構成されている。端子部２６はメイン基板１９に接続され、映像機器３９や外部機器４０などからの情報が端子部２６を介してメイン基板１９に入力される。
【００２９】
図２に戻り、プロジェクタ本体１の広い面積を有する背面１ｂの左右両側には、従来一般のプロジェクタに用いられているものより大型（大出力）のスピーカ部３８が後方（利用者側）へ音声出力するように設けられ、ステレオで音声出力が可能となっている。これによって、プロジェクタ３を一般のオーディオ機器並の音声で利用することができる。このことは、映像機器３９を装着して利用する場合に特に有用である。また、図３で示すように、スピーカ部３８は、メイン基板１９に接続されており、メイン基板１９の制御により音量などが制御される。
【００３０】
プロジェクタ本体１の広い面積を有する背面１ｂの中央上部にはＬＥＤなどを発光源とする表示部４が設けられている。この表示部４はメイン基板１９に接続され、プロジェクタ３の操作状態が表示される。
【００３１】
投射レンズ１１はプロジェクタ本体１の広い面積を有する前面１ａの中央部に設けられている。本実施形態では、投射レンズ１１は大径に形成され、前面１ａの大部分を占める大きさで形成されている。また、投射レンズ１１は、前面１ａに対して垂直に配置され、投射面３１（図５参照）と平行に配置されることとなる。なお、投射面３１はスクリーンや部屋の壁などで構成される。
【００３２】
図１及び図２に戻り、電源２１は、光源ユニット３７の反対側に設けられ、スピーカ部３８と光学系３０との間に配置されている。この電源２１は、電力を必要とする構成要素（メイン基板１９、スピーカ３８及び表示部４など）に接続されている。
【００３３】
光学系３０は、投射レンズ１１の後方に配置されている。光学系３０に内蔵された液晶パネル３３は投射レンズ１１の後方に配置され、投射レンズ１１に映像を含む出射光を出すように構成されている。光学系３０はメイン基板１９に接続され、メイン基板１９により制御される。
【００３４】
また、光学系３０の側面には光源ユニット３７が接続されている。この光源ユニット３７は、光学系３０とスピーカ部３８との間に配置され、内蔵したランプ３４が発する光を導く光路を有している。ランプ３４が発する光は、光源ユニット３７の光路を通って光学系３０に導かれ、プリズムを介して液晶パネル３３に入射される。ランプ３４は、図３に示すように、液晶パネル３３３６が接続され、これにより駆動される。ランプ駆動基板３６は操作部２の操作に基づいてメイン基板１９で制御される。従って、ランプ３４は、操作部２の操作に基づいて発光のオンオフまたは発光量の制御が行われる。
【００３５】
次に、図５を参照して、本実施形態に係るプロジェクタによる拡大映像について説明する。図５において、液晶パネル３３は、その中心線３３ａが投射レンズ１１の中心線よりも下方へ位置するように配置されている。これによって、投射レンズ１１の中心線と液晶パネル３３の中心線３３ｂとをずらすことができるので、図５に示すように、映像を投射レンズ１１の中心線よりも上方で投射面３１に投射することができる。特に本実施形態では、液晶パネル３３の上端部３３ａが投射レンズ１１の中心線より下方に位置されているので、投射面３１とプロジェクタ３とが接近していても、投射面３１に投影される映像はプロジェクタ３の上方に投射されることとなる。これによって、利用者は、図４に示すように、後方からプロジェクタ３に邪魔されることなく拡大映像を見ることができる。
【００３６】
次に、図６を参照して、本実施形態に係るプロジェクタにより投射される映像の補正について説明する。図６において、プロジェクタ３により映像を投射する場合、例えば、映像３２Ａ’を投射すると、投射映像３２’は破線で示すように逆台形に歪んでしまう。この歪みを補正するため、本実施形態では、メイン基板１９に画像の補正を行う画像補正手段が設けられている。この画像補正手段は、例えば、キーストン補正を行うものである。本実施形態では、映像３２Ａ’を投射面３１へ正常に投射するため、あらかじめキーストン補正を行い、映像３２Ａを作成している。そして、この映像３２Ａを投射レンズ１１を介して投射面３１上へ投射することで、正常な状態である映像３２を投射することができる。
【００３７】
次に、図７を参照して、本実施形態に係るプロジェクタの設置状態について説明する。図７において、プロジェクタ３は、上述したように、２つの広い面（前面１ａ、背面１ｂ）と４つの狭い面（上面１ｃ、底面１ｄ、右側面１ｅ、左側面１ｆ）とを有する薄形の形状となっている。このような薄形のプロジェクタ３を、投射面３１から距離ａ（寸法ａ）だけ離れた位置に設置することで、プロジェクタ３を投射面３１に接近して設置することが可能となり、しかも投射面３１に投射される映像を最大にすることができる。また、プロジェクタ３の利用者は、投射された映像を、プロジェクタ３から距離ｂ（寸法）だけ離れた位置で見ている。即ち、本実施形態では、プロジェクタ３を投射面３１と利用者との間に配置することができるので、一般家庭や狭い会議室等でプロジェクタ３を使用することができ、しかも映像を大きく投射することができる。なお、本実施形態では、距離ａを１ｍ以下の範囲に設定しており、一般家庭などで使用される場合には、３０ｃｍ〜６０ｃｍの範囲でプロジェクタを設置するようにしている。
【００３８】
本実施形態によれば、プロジェクタ本体１を上下左右方向に幅広で前後方向に薄く形成すると共に、大径の投射レンズをプロジェクタ本体１の広い面積を有する前面１ａの中央部に設けているので、投射面３１までの投射距離が短くても投射面３１に大きく投影できると共に、前後方向の据付寸法が短く据付性が良好なものとすることができる。これに加えて、液晶パネル３３を投射レンズ１１の後方に投射レンズ１１の中心線１１ａより下方にずらして配置しているので、投射面３１までの投射距離が短くてもキーストンを生ずることなく投影できる。これらに加えて、プロジェクタ本体１の広い面積を有する背面１ｂに薄型の映像機器３９の広い面を露出して装着可能な装着部を備えているので、映像機器３９の使い勝手を優れたものとすることができる。これらに加えて、プロジェクタ本体１の広い面積を有する背面１ｂの左右両側に後方へ音声出力するように設けられた大型のスピーカ部３８を備えているので、映像と音声の両方で良好なプレゼンテーションをしたり楽しんだりするプロジェクタ３とすることができる。
【００３９】
次に、本発明の第２実施形態を、図８を参照しながら説明する。図８は本発明の第２実施形態のプロジェクタを示す図で、図８（ａ）は正面図、図８（ｂ）は平面図、図８（ｃ）は背面図、図８（ｄ）は左側面図である。この第２実施形態は、次に述べる通り第１実施形態と相違するものであり、その他の点については第１実施形態と基本的には同一である。
【００４０】
図８において、第２の実施形態に係るプロジェクタ本体１は、２つの広い面の一方を構成し、平面から見て円弧形状に突出して形成された突出部と、２つの広い面の他方を構成する矩形部とを備えている。本実施形態では、一例として、プロジェクタ本体１の前面を突出部（以下、前面突出部１ｉ）、背面を矩形部（以下、背面矩形部１ｊ）で構成している。
【００４１】
背面矩形部１ｊは、幅広の面（背面１ｂ）と、前後寸法が小さく幅の狭い上下面および左右側面とを有しており、背面１ｂに表示部４やスピーカ３８、映像機器３９等が設けられている。また、上面１ｃには、操作部２が設けられている。
【００４２】
前面突出部１ｉは、背面矩形部１ｊより段部を有して中央前方に突出するように形成され、この前面突出部１ｉの頂上部分に投射レンズ１１が設けられている。また、前面突出部１ｉは、左右方向における中央部が最も高くなるような円弧状に形成され、この円弧状部の両側に内部機器の温度上昇を防止するための通気口１ｈが形成されている。
【００４３】
これによって、背面矩形部１ｊの上面及び両側面の前後寸法が小さくなり、薄形化をより一層図ることができる。
【００４４】
次に、本発明の第３実施形態を、図９から図１１を参照しながら説明する。図９は本発明の第３実施形態のプロジェクタを示す図で、図９（ａ）は正面図、図９（ｂ）は平面図、図９（ｃ）は背面図、図９（ｄ）は左側面図、図９（ｅ）はスピーカ部を離した状態の背面図である。図１０は図９と異なる映像機器を装着したプロジェクタを示す図である。図１１は同プロジェクタの一使用例を示す図である。この第３実施形態は、次に述べる通り第２実施形態と相違するものであり、その他の点については第１実施形態と基本的には同一である。
【００４５】
図９および図１０において、第３の実施形態に係るプロジェクタ３は、プロジェクタ３を構成する各種の装置が収納された本体部１ｋと、この本体部１ｋの両側に配置された一対のスピーカ１ｌとを備え、スピーカ１ｌを本体部１ｋに対して分離可能に設けたものである。また、本体部１ｋの突出部前面下部と突出部上面には、内部機器の温度上昇を防止するための通気口１ｈが形成され、本体部１ｋの矩形部上面には、操作部２が集中して設けられている。なお、図９は装着部１ｇに装着する映像機器３９の一例として、ＤＶＤ装置を装着した状態を示し、図１０は装着部１ｇに装着する映像機器３９の一例として、ワイヤレスユニット３９Ａを装着した状態を示している。
【００４６】
次に、図１１を参照して、第３の実施形態に係るプロジェクタ３の使用状態について説明する。なお、図１１は、映像機器３９の一例として、ワイヤレスユニット３９Ａを装着した状態を示している。図１１において、先ず、プロジェクタ３の利用者は、本体部１ａからスピーカ１ｌを分離し、スピーカ１ｌを任意の位置に配置すると共に、プロジェクタ３（本体部１ａ）を起動させる。プロジェクタ３（本体部１ａ）の起動後、パソコン等の外部機器４０を操作し、投射面３１に投射する映像情報を、ワイヤレスユニット３９Ａを介して本体部１ａに送信する。映像情報を受信した本体部１ａは、投射レンズ１１を介して投射面３１に映像を表示すると共に、動作状態を表示部４に表示するようになっている。また、投射面３１に投射された映像に対し、音声が伴う場合には、スピーカ１ｌから適宜、音声が出力されるようになっている。
【００４７】
このように、本体部１ｋとスピーカ部１ｌとを分離できるような構成とすることで、利用者の位置に合わせて音声の出力場所、即ち、スピーカ部１ｌの設置場所を任意の位置に調節できるので、例えば、ステレオ音声などを利用者にとって最適な場所で投射映像と共に楽しむことができる。
【００４８】
【発明の効果】
以上の実施形態の説明から明らかなように、本発明によれば、投射面までの投射距離が短くても投射面に大きく投影できると共に、前後方向の据付寸法が短く据付性が良好なプロジェクタを提供することができる。
【００４９】
また、本発明によれば、投射面までの投射距離が短くてもキーストンを生ずることなく投影できると共に、前後方向の据付寸法が短く据付性が良好なプロジェクタを提供することができる。
【００５０】
また、本発明によれば、前後方向の据付寸法が短く据付性が良好であると共に、接続される映像機器の使い勝手に優れたプロジェクタを提供することができる。
【００５１】
また、本発明によれば、前後方向の据付寸法が短く据付性が良好であると共に、映像と音声の両方で良好なプレゼンテーションをしたり楽しんだりすることができるプロジェクタを提供することができる。
【図面の簡単な説明】
【図１】本発明の第１実施形態によるプロジェクタの内部構成要素を透視して示す正面斜視図である。
【図２】同プロジェクタの内部構成要素を透視して示す背面斜視図である。
【図３】同プロジェクタの構成図である。
【図４】同プロジェクタの使用状態の一例を示す図である。
【図５】同プロジェクタの映像拡大部の模式図である。
【図６】同プロジェクタの映像拡大部の異なる模式図である。
【図７】同プロジェクタの使用状態の寸法関係を説明する図である。
【図８】本発明の第２実施形態のプロジェクタを示す図である。
【図９】本発明の第３実施形態のプロジェクタを示す図である。
【図１０】図９と異なる映像機器を装着したプロジェクタを示す図である。
【図１１】同プロジェクタの一使用例を示す図である。
【符号の説明】
１…プロジェクタ本体、２…操作部、３…プロジェクタ、４…表示部、１１…投射レンズ、１９…メイン基板、２１…電源、２６…端子部、３０…光学系、３１…投射面、３２…投影映像、３３…液晶パネル、３４…ランプ、３５…ランプモータ、３６…ランプ駆動基板、３７…光源ユニット、３８…スピーカ部、３９…映像機器、外部機器（パソコン）。
【図１】
2004286815.tif 000003
【図２】
2004286815.tif 000004
【図３】
2004286815.tif 000005
【図４】
2004286815.tif 000006
【図５】
2004286815.tif 000007
【図６】
2004286815.tif 000008
【図７】
2004286815.tif 000009
【図８】
2004286815.tif 000010
【図９】
2004286815.tif 000011
【図１０】
2004286815.tif 000012
【図１１】
2004286815.tif 000013